(57)【要約】【課題】少量のビーズであっても拾い易く、ビーズが撥ねて飛び散る恐れのない、狭いスペースでも効率良くビーズが出せ、多数のビーズを載置しても混ざってしまう恐れのないビーズ置台を提供する。【解決手段】ビーズ置台４は波板形状板５と支持台６からなる。波板形状板５の各谷部５ａにビーズ収納ビン７とビーズ８を各種類毎に載置する。谷部５ａが形成する傾斜角θ1は少なくとも３°以上でビーズ８が転動しない緩勾配とする。支持台６は、谷部５ａの下方から差し入れる針１０にビーズ８を挿通し易く、又多数のビーズ８を挿通する際にも針先が下を向く恐れがない下端高さＨ1を設定する。【選択図】図２
0003128321.tif 000002
【実用新案登録請求の範囲】
【請求項１】
手芸用のビーズを種類毎に収容するため、板材に複数の区画部を設けるビーズ置台において、前記板材は、ビーズ転がり防止用素材の上面を有しビーズ収納ビン及びこのビンより取り出すビーズを各種類毎に載置する波板形状板と、ビーズを載置する波板形状板の谷部が少なくとも３°以上の傾斜角であってビーズが転動しない緩勾配を有するように波板形状板を支持する支持台を有することを特徴とするビーズ置台。
【請求項２】
手芸用のビーズを種類毎に収容するため、板材に複数の区画部を設けるビーズ置台において、前記板材は、平角型のビーズケースを各種類毎に載置するため複数の仕切板を突設する上板と、ビーズケースを載置する上板が少なくとも１０°以上の傾斜角であって収容するビーズがビーズケースの前壁より落下しない勾配を有するように上板を支持する下板を有することを特徴とするビーズ置台。
【考案の詳細な説明】
【技術分野】
【０００１】
本考案は、手芸用のビーズを種類毎に収容するため、板材に複数の区画部を設けるビーズ置台に関する。
【背景技術】
【０００２】
昨今、ビーズ手芸の人気とその普及は目覚しいものがあり、ビーズ編み、ビーズ刺繍、ビーズアクセサリー、そしてビーズ織り等々その作品世界は美しく、大変奥深いものがある。
【０００３】
例えばビーズ織りの場合には、専用の織機に必要な目数＋１本の縦糸を張り、織糸をこの縦糸にくぐらせながら必要な目数のビーズを拾っている。この時、拾うビーズは予め作成した目数表に基づき、所定の色彩のビーズを各段毎に順番・個数を厳格に守って順次針に通していく。
【０００４】
目数表には、ビーズの色に合わせた記号や符号が付されており、この記号もしくは符号を記した紙等を取り出したビーズの傍に置いて、誤りの無いよう的確にビーズを拾い、縦糸の下から指で押し上げつつ拾ったビーズを各縦糸間に一粒ずつ挟み込んでいく。
【０００５】
全てのビーズを挟み込んだ後、これらのビーズを押し上げながら縦糸の上で折り返した織糸が通るように針をビーズに通して戻り、同様な作業を繰り返しつつ必要な段数を織っていくのである。
【０００６】
このように、あらゆるビーズ手芸を製作する上での基本中の基本は、ミリ単位のビーズを一粒一粒的確に針で拾うという行為に尽きるのであり、特にビーズ織りなどは、大きな作品になると何万個ものビーズをひたすら拾い続けることになる。
【０００７】
このビーズ拾い作業は、一般にビーズが転がり難い素材、例えば革の裏面を細かく起毛したスエードのような毛足が短くソフトな面材を敷いた作業板の一画に目数表の記号もしくは符号を記した紙を適宜配置し、その傍に適合するビーズを適量載置して行っていた。
【０００８】
従来、ビーズ細工などの手芸に用いる作業板としては、例えば特許文献１に記載されるような手芸用作業板が提案されていた。
【特許文献１】意匠登録第１１９４５３３号公報
【０００９】
この手芸用作業板は、額縁状の木枠内にスエード状の布材を貼着する構成で、平面の一部に一条の溝を設け、これを境にして一段低い平面域を形成していた。手芸を行う場合には、手芸用の材料である例えば複数のビーズケースを低い平面域に載置し、この中から使用するビーズを木枠内の適宜位置に分散配置して針で拾う等の作業を行っていた。
【００１０】
又、ビーズ置台として、プラスチック板を加工して矩形もしくは丸型に区画した凹部を複数形成し、夫々の区画に異なるビーズを収納するビーズパレットも拾い作業には使用されていた。この従来のビーズパレットは絵の具のパレットと同様に、区画された夫々の凹所にビーズを分散配置するものであった。
【考案の開示】
【考案が解決しようとする課題】
【００１１】
しかし、従来の手芸用作業板を用いて拾い作業を行うと、平面上に載置するビーズに対して上方から針で拾うことになるため、ビーズが撥ねて飛び散り易く、少量になると拾い難くなり作業終了後ビーズをケースに戻しにくい欠点があった。又同一平面上に載置するため、わずかな振動でもビーズが混ざってしまう恐れがあった。
【００１２】
一方ビーズ置台として区画されたビーズパレットを用いたり、平面的に配置されたビーズケースから直接ビーズを拾う場合もあったが、これらの方法では多数のビーズを針に通すことは実際上困難であった。バックやタペストリー等の大きな作品を手がける際に、角型のビーズケースから直接ビーズを拾うのは、出入の手間も省け、便利な方法であったが、平面的にケースを置いてビーズを拾おうとする場合、どうしても針先が下を向いてしまうため、一度にたくさんの（例えば５０粒以上）ビーズを拾うのは至難の業であった。
【００１３】
即ち、従来のビーズ置台であるビーズパレットや平面上のビーズケースから拾い作業を行う際には、凹所に上方から針先を入れるため、多数のビーズを針に通そうとすると既に拾ったビーズが落下してしまう恐れがあった。
【００１４】
これらの欠点は、時には何十色ものビーズを使用するビーズ手芸にとって作品製作上の大きなストレスを起こさせるものであった。
【００１５】
この考案は、ビーズ手芸に用いる従来のビーズ置台が有する上記の問題点を解消すべくなされたものであり、少量のビーズであっても拾い易く又ケースやビンに戻しやすい、ビーズが撥ねて飛び散る恐れのない、又狭いスペースでも効率良くビーズが出せ、多数のビーズを載置しても混ざってしまう恐れのないビーズ置台を提供することを目的としている。
【００１６】
又、角型のビーズケースから直接ビーズを拾う場合であっても、容易に多数のビーズを針に通すことが可能で、大型作品製作上の強い味方となるビーズ置台を提供することを目的としている。
【課題を解決するための手段】
【００１７】
上記課題を解決するため、この考案のビーズ置台は、手芸用のビーズを種類毎に収容するため、板材に複数の区画部を設けるビーズ置台において、前記板材は、ビーズ転がり防止用素材の上面を有しビーズ収納ビン及びこのビンより取り出すビーズを各種類毎に載置する波板形状板と、ビーズを載置する波板形状板の谷部が少なくとも３°以上の傾斜角であってビーズが転動しない緩勾配を有するように波板形状板を支持する支持台を有することを特徴とするものである。
【００１８】
ビーズ転がり防止用素材としては、細かく起毛した革材、同様に起毛した織布・不織布、フェルトあるいは表面が柔軟で滑り難い各種の発泡体等、ビーズ転がり防止に適する様々なシート材・板材が用いられる。これら素材は基材に貼着するものでも、素材自体で波板形状を維持するものでもよい。
【００１９】
波板形状板を支持する支持台は、例えば円筒状のビンから取り出したビーズが転がらない勾配とすると同時に、谷部の下方から差し入れる針にビーズを挿通し易く、又多数のビーズを挿通する際にも針先が下を向く恐れがない下端高さを設定する。
【００２０】
請求項２記載のビーズ置台は、手芸用のビーズを種類毎に収容するため、板材に複数の区画部を設けるビーズ置台において、前記板材は、平角型のビーズケースを各種類毎に載置するため複数の仕切板を突設する上板と、ビーズケースを載置する上板が少なくとも１０°以上の傾斜角であって収容するビーズがビーズケースの前壁より落下しない勾配を有するように上板を支持する下板を有することを特徴とするものである。
【００２１】
仕切板は各ビーズケースを隔離する高さまで突設する。上板を支持する下板は、蓋を外したケースから手前側にビーズが落下しない勾配とすると同時に、ケース前壁の前方より差し入れる針にビーズを挿通し易く、又多数のビーズを挿通する際にも針先が下を向く恐れがない下端高さを設定する。
【考案の効果】
【００２２】
この考案のビーズ置台は、ビーズを各種類毎に載置する波板形状板を有するので狭いスペースに効率良くビーズが出せ、ビーズが混ざりにくい。ビーズを載置する波板形状板の谷部に適度な傾斜がついているため、ビーズが拾い易く、最後の一粒に至るまで容易に拾え、ケースに戻しやすい。
【００２３】
又、請求項２記載のビーズ置台は、適度な傾斜をもってビーズケースを載置するので、多数のビーズを容易に針に通すことができ大型作品製作上の強い味方となる。
【００２４】
これらはビーズ置台に設けられた適度な傾斜のもたらす効果であり、２種のビーズ置台を使い分けることにより、製作上のストレスが解消され、作品製作により集中できる。
【考案を実施するための最良の形態】
【００２５】
次にこの考案の実施の形態を添付図面に基づき詳細に説明する。図１はビーズ手芸を行う作業台の道具配置図である。ビーズ織りを行う場合、織機１に必要な目数＋１本の縦糸２を張り、織糸３をこの縦糸２にくぐらせながら必要な目数のビーズを拾っていく。
【００２６】
織機１の傍らにはビーズ置台４を配置する。ビーズ置台４は、傾斜をもった波板形状板５と、これを支持する支持台６からなる。波板形状板５は、手芸用のビーズを種類毎に収容するため、複数の区画部として平行な谷部５ａを形成する。波板形状板５の表面はビーズが転がり難い素材で形成し、各谷部５ａにビーズ収納ビン７及びこのビン７より取り出したビーズ８を各種類毎に載置する。
【００２７】
各谷部５ａの前方には図示しない目数表に基づきビーズの色彩を特定する付箋９を配置する。この付箋９にはビーズ８の色に合わせた記号や符号が記されており、ビーズ織りを行う際には目数表と照合しながら織糸３の各段毎にビーズ８の順番・個数を厳格に守りながら順次針１０に通していく。
【００２８】
次にビーズ置台の詳細を図２に基づき説明する。図２はビーズ置台の断面図である。ビーズ置台４の波板形状板５の谷部５ａが形成する傾斜角θ1は少なくとも３°以上で、円筒状のビン７から取り出したビーズ８が転動しない緩勾配とする。
【００２９】
波板形状板５を支持する支持台６は、谷部５ａの下方から差し入れる針１０にビーズ８を挿通し易く、又多数のビーズ８を挿通する際にも針先が下を向く恐れがない下端高さＨ1を設定する。
【００３０】
このビーズ置台４は、ビーズ収納ビン７毎にビーズ８を載置するので狭いスペースでも効率良くビーズ８が出せ、しかもビーズ８が混ざりにくい。又適度な傾斜がついているため、ビーズ８が拾い易く、最後の一粒に至るまで容易に拾える。
【００３１】
次に別のビーズ置台の実施形態を図３及び図４に基づき説明する。図３は別の実施形態におけるビーズ置台の斜視図、図４は同断面図である。このビーズ置台１１は、平角型のビーズケース１２を載置する上板１３と、この上板１３を傾斜角θ2をもって支持する下板１４からなる。
【００３２】
上板１３は各ビーズケース１２を隔離する高さまで仕切板１３ａを突設する。傾斜角θ2は少なくとも１０°以上で、ビーズケース１２内のビーズ８が前壁１２ａより落下しない勾配を有すると同時に、ケース前壁１２ａの前方より差し入れる針１０にビーズ８を挿通し易く、又多数のビーズ８を挿通する際にも針先が下を向く恐れがない下端高さＨ2を設定する。尚、ビーズケース１２の下部にはストッパ１４を設けてもよい。
【図面の簡単な説明】
【００３３】
【図１】ビーズ手芸を行う作業台の道具配置図である。
【図２】ビーズ置台の断面図である。
【図３】別の実施形態におけるビーズ置台の斜視図である。
【図４】別の実施形態におけるビーズ置台の断面図である。
【符号の説明】
【００３４】
４  ビーズ置台
５  波板形状板
５ａ  谷部
６  支持台
７  ビーズ収納ビン
８  ビーズ
１０  針
【図１】
0003128321.tif 000003
【図２】
0003128321.tif 000004
【図３】
0003128321.tif 000005
【図４】
0003128321.tif 000006